(57)【要約】【課題】  装着したＩＤユニットのみで、印刷動作が可能であり、未装着のＩＤユニット用のＬＥＤヘッドなどを汚さない画像形成装置を提供する。【解決手段】  複数の画像形成ユニット装着部の各々に、対応する画像形成ユニットを着脱自在に装着して画像形成を行う画像形成装置において、画像形成ユニット装着部の各々に対応して設けられた露光部と、この露光部を覆って、露光部の光の出射口を周囲の浮遊物から保護する被覆部材とを備える。画像形成ユニット装着部の各々は、対応する画像形成ユニットの有無を検出する画像形成ユニット検出手段を有する。画像形成ユニット検出手段は、被覆部材が装着されているときは、被覆部材を検出する。被覆部材は、画像形成動作時に、画像形成ユニット検出手段を覆うように位置する。画像形成ユニット装着部の各々は、対応する被覆部材の有無を検出する被覆部材検出手段を有する。【選択図】        図６ 
2005140944.tif 000002
【特許請求の範囲】
【請求項１】
複数の画像形成ユニット装着部の各々に、対応する画像形成ユニットを着脱自在に装着して画像形成を行う画像形成装置において、
前記画像形成ユニット装着部の各々に対応して設けられ、装着された画像形成ユニットとともに画像形成を行う画像形成機能部と、
前記画像形成機能部を覆う被覆部材とを備えることを特徴とする画像形成装置。
【請求項２】
前記画像形成ユニット装着部の各々は、対応する前記画像形成ユニットの有無を検出する画像形成ユニット検出手段を有することを特徴とする請求項１に記載の画像形成装置。
【請求項３】
前記画像形成ユニット検出手段は、前記被覆部材が装着されているときは、該被覆部材を検出することを特徴とする請求項２に記載の画像形成装置。
【請求項４】
前記被覆部材は、前記画像形成ユニット検出手段を覆うような位置にあることを特徴とする請求項２または請求項３に記載の画像形成装置。
【請求項５】
前記画像形成ユニット装着部の各々は、対応する前記被覆部材の有無を検出する被覆部材検出手段を有することを特徴とする請求項１に記載の画像形成装置。
【請求項６】
前記画像形成ユニット装着部の各々は、対応する前記画像形成ユニットの有無を検出する画像形成ユニット検出手段と、対応する前記被覆部材の有無を検出する被覆部材検出手段とを有し、
前記被覆部材が、前記画像形成ユニット検出手段及び前記被覆部材検出手段の双方より、検出されることを特徴とする請求項１に記載の画像形成装置。
【請求項７】
前記複数の画像形成ユニット装着部の各々に、対応する前記画像形成ユニットの有無を検出する画像形成ユニット検出手段と、対応する前記被覆部材の有無を検出する被覆部材検出手段とを有し、
前記画像形成ユニット検出手段の検出結果と、前記被覆部材検出手段の検出結果とに基づいて、対応する画像形成ユニット装着部に、前記画像形成ユニットと前記被覆部材が装着されているか否かを判定する判定部を更に有することを特徴とする請求項１に記載の画像形成装置。
【請求項８】
前記判定部の判断結果に基いて、画像形成の動作モードを設定する動作モード設定部を更に有することを特徴とする請求項７に記載の画像形成装置。
【請求項９】
画像形成機能部は、画像形成ユニット内に設けられる感光体上に静電潜像を形成する露光部であり、被覆部材は露光部の光出射口部を覆うことを特徴とする請求項１に記載の画像形成装置。
【請求項１０】
表示部を更に有し、該表示部は前記動作モードの設定に際して前記装着状態判断部の判断結果を表示することを特徴とする請求項８に記載の画像形成装置。
【請求項１１】
操作部を更に有し、前記操作部を介して入力される指令に基づいて、前記装着状態判断部は、前記装着状態判断部の判断結果に対応する動作モードの設定を行うか否かを決定することを特徴とする請求項８に記載の画像形成装置。
【請求項１２】
前記装着状態判断部が、いずれの画像形成ユニットも前記画像形成ユニット装着部に装着されていないと判断すると、前記装着状態判断部は画像形成の動作を禁止することを特徴請求項８に記載の画像形成装置。
【請求項１３】
前記装着状態判断部が、少なくとも１つの画像形成ユニット装着部に、前記画像形成ユニットと、前記被覆部材とのいずれかが装着されていないと判断すると、前記装着状態判断部は、画像形成の動作を禁止することを特徴とする請求項８に記載の画像形成装置。
【請求項１４】
前記装着状態判断部の判断結果と、動作モード設定部により予め設定された動作モードに対応する画像形成ユニットの装着部とを比較する比較部を有することを特徴とする請求項８に記載の画像形成装置。
【請求項１５】
前記比較部による比較結果を表示する表示部を有することを特徴とする請求項１３に記載の画像形成装置。
【請求項１６】
操作部を更に有し、前記比較部による比較結果が不一致なら、前記装着状態判断部は、動作モードの設定を行うか否かを前記操作部を介して入力される指令に基づいて決定することを特徴とする請求項１４に記載の画像形成装置。
【請求項１７】
画像形成の動作速度を制御する速度制御部を更に有し、
前記速度制御部は、前記装着状態判断部が判断した画像形成ユニットの装着数に応じて、画像形成の速度を決定することを特徴とする請求項８に記載の画像形成装置。
【発明の詳細な説明】
【技術分野】
【０００１】
本発明は、電子写真式の画像形成装置に関する。
【背景技術】
【０００２】
電子写真式プリンタには、単色しか印刷できない単色プリンタと、フルカラー印刷ができるカラープリンタの２種類がある。近年、モノクロプリンタとして購入し、後でカラー印刷機能を追加するためにイエロー、マゼンタ、シアンの各ＩＤユニットを購入してカラープリンタとして使用したいユーザが増えてきた。また、モノクロと、ある特定の色だけを頻繁に使う目的で、特定の色のＩＤユニットだけを購入して印刷したいユーザもいる。従来のカラープリンタで、このような使い方をしようとすると、次のような問題があった。
【０００３】
【特許文献１】特開平１０−１８７００２号公報
【発明の開示】
【発明が解決しようとする課題】
【０００４】
４色のＩＤユニットを装着した従来のカラープリンタでは、ＩＤユニットセンサが、各ＩＤユニットが装着されているかどうかを検出し、図示されない制御部へ検出信号を送る。制御部は、未装着のＩＤユニットがあれば、印刷動作を禁止する指令を出力するとともに、ＬＣＤ表示部等に、正常な動作ができないことを表示する。すなわち、従来のカラープリンタでは、未装着のＩＤユニットがあると、印刷動作が禁止される。
【０００５】
また、黒用のＩＤユニットだけを装着した場合に、少なくともモノクロ印刷ができるように画像形成装置を設計したとしても、用紙が搬送される際に発生する空気の流れなどによって、他のＩＤユニットが装着される空間を黒のトナーが浮遊する。また、ＬＥＤヘッドを露光装置として採用している場合は、対応のＩＤユニットが装着されていないので、浮遊トナーに対して照射部を含めた光学系がむき出しのままである。浮遊トナーがＳＬＡ（Ｓｅｌｆｏｃ  Ｌｅｎｓ  Ａｒｒａｙ）に付着してしまうと、カラー用のＩＤユニットを装着してカラー印刷をしたときに、印刷品位を落とすといった問題がある。また、用紙から発生する紙粉が蓄積したり、長期間にわたり画像形成装置を保管している間に、カラー用のＩＤユニットを装着する部位に、埃が溜まることも同様に問題となる。
【０００６】
本発明の目的は、装着したＩＤユニットのみで、印刷動作が可能であり、未装着のＩＤユニット用のＬＥＤヘッドなどを汚さない画像形成装置を提供することである。
【課題を解決するための手段】
【０００７】
本発明は上記の従来装置の問題を解決するためになされたものである。本発明に係わる画像形成装置は、複数の画像形成ユニット装着部の各々に、対応する画像形成ユニットを着脱自在に装着して画像形成を行う画像形成装置において、前記画像形成ユニット装着部の各々に対応して設けられた露光部と、前記露光部を覆って、前記露光部光の出射口を周囲の浮遊物から保護する被覆部材とを備えることを特徴とする。
【０００８】
前記画像形成ユニット装着部の各々は、対応する前記画像形成ユニットの有無を検出する画像形成ユニット検出手段を有する。
【０００９】
前記画像形成ユニット検出手段は、前記被覆部材が装着されているときは、該被覆部材を検出する。
【００１０】
前記被覆部材は、画像形成動作時に、前記画像形成ユニット検出手段を覆うように位置する。
【００１１】
前記画像形成ユニット装着部の各々は、対応する前記被覆部材の有無を検出する被覆部材検出手段を有する。
【００１２】
前記画像形成装置は、前記画像形成ユニット装着部の各々は、対応する前記画像形成ユニットの有無を検出する画像形成ユニット検出手段と、
対応する前記被覆部材の有無を検出する被覆部材検出手段とを有し、前記被覆部材が、前記画像形成ユニット検出手段及び前記被覆部材検出手段の双方より、検出されることを特徴とする。
【００１３】
前記画像形成装置は、前記複数の画像形成ユニット装着部の各々に、対応する前記画像形成ユニットの有無を検出する画像形成ユニット検出手段と、対応する前記被覆部材の有無を検出する被覆部材検出手段とを有し、
前記画像形成ユニット検出手段の検出出力と、前記被覆部材検出手段の検出出力とに基づいて、対応する画像形成ユニット装着部に、前記画像形成ユニットと前記被覆部材が装着されているか否かを判定する判定部を更に有する。
【００１４】
前記画像形成装置は、前記判定部の判断結果に基いて、画像形成の動作モードを設定する動作モード設定部を有する。
画像形成機能部は、画像形成ユニット内に設けられる感光体上に静電潜像を形成する露光部であり、被覆部材は露光部の光出射口部を覆う。
【００１５】
前記画像形成装置は、表示部を更に有し、該表示部は前記動作モードの設定に際して前記装着状態判断部の判断結果を表示することを特徴とする。
【００１６】
前記画像形成装置は、操作部を更に有し、前記操作部を介して入力される指令に基づいて、前記装着状態判断部は、前記装着状態判断部の判断結果に対応する動作モードの設定を行うか否かを決定する。
【００１７】
前記画像形成装置は、前記装着状態判断部が、いずれの画像形成ユニットも前記画像形成ユニット装着部に装着されていないものと判断すると、前記装着状態判断部は画像形成の動作を禁止する。
【００１８】
前記画像形成装置は、前記装着状態判断部が、少なくとも１つの画像形成ユニット装着部に、前記画像形成ユニットと、前記被覆部材とのいずれかが装着されていないと判断すると、前記装着状態判断部は、画像形成の動作を禁止する。
【００１９】
前記画像形成装置は、前記装着状態判断部の判断結果と、予め設定された動作モードに対応する画像形成ユニットの装着部とを比較する比較部を有する。
【００２０】
前記画像形成装置は、前記比較部による比較結果を表示する表示部を有する。
【００２１】
前記画像形成装置は、操作部を更に有し、前記比較部による比較結果が不一致なら、前記装着状態判断部は、動作モードの設定を行うか否かを前記操作部を介して入力される指令に基づいて決定する。
【００２２】
前記画像形成装置は、画像形成の動作速度を制御する速度制御部を更に有し、
前記速度制御部は、前記装着状態判断部が判断した画像形成ユニットの装着数に応じて、画像形成の速度を決定する。
【発明の効果】
【００２３】
装着したＩＤユニットのみで、印刷動作が可能であり、未装着のＩＤユニット用のＬＥＤヘッドなどを汚さない。
【発明を実施するための最良の形態】
【００２４】
実施の形態１
図１はＩＤユニットを着脱可能とした、本発明に係るＬＥＤカラープリンタの概略図である。給紙カセット１の出口側には、シートレシーブ２が設けられ、図示されない押し上げ用バネによって上方に押し上げられている。給紙カセット１に収容された用紙の先端側は、シートレシーブ２上に載置されている。シートレシーブ２は、用紙の下から、給紙ローラ５１と給紙サブローラ５２に対して、用紙を付勢している。図示されない搬送モータによって、給紙ローラ５１と給紙サブローラ５２とが駆動されると、給紙カセット１に収められた用紙が１頁ずつ搬送路へと給紙される。用紙は、搬送モータによって回転されるレジストローラ５３、プレッシャーローラ５４とにより挟持されて、搬送路中を進行する。用紙は、搬送路中をガイドされながら進行し、プレッシャローラ５５と、このプレッシャローラ５５に押圧係合しているプレッシャローラ５６との間に挟持されて、搬送ベルトユニットへ向かって搬送される。
【００２５】
搬送ベルトユニットは、図示されないベルトモータによって駆動されるベルト駆動ローラ５７と、搬送ベルト３と、アイドルローラ５８と、転写ローラ５９−６２とで構成される。搬送ベルト３は、ベルト駆動ローラ５７とアイドルローラ５８とにかけられ、緊張している。転写ローラは、ベルトを介して、ＩＤユニット４−７の感光ドラム３１−３４に転写電圧を印加する。用紙がベルト上に載置されて、ＩＤユニット４−７を通過する際に、感光ドラム３１−３４からＫ（ブラック）、Ｙ（イエロー）、Ｍ（マゼンタ）、Ｃ（シアン）のトナー像が、用紙上に転写される。
【００２６】
定着器４０は、定着ローラ６３と加圧ローラ６４とを有する。定着ローラ４０は、図示されないハロゲンランプを内蔵し、ハロゲンランプにより加熱される。定着ローラ６３は、加圧ローラ６４に押圧係合するとともに、図示されない定着モータにより回転される。各色のトナー像を転写された用紙が、定着ローラ６３と加圧ローラ６４の間に引き込まれ、加熱されてトナー像が定着される。定着モータで駆動する排出ローラ６５、６６によって、フェイスアップスタッカ８のフェイスアップ部８ａ上に排出される。
【００２７】
また、フェイスアップスタッカ８を矢印Ａの方向に閉じると、フェイスアップスタッカ８は、用紙ガイドとして作用し、定着モータで駆動する排出ローラ６９と、この排出ローラ６９に押圧係合する加圧ローラ６８に挟持されながら搬送されて、トップカバー９のフェイスダウン部９ａに排出される。用紙の搬送される期間は、印刷動作中であることが、ＬＣＤ表示部３０に表示される。
【００２８】
トップカバー９にはインナプレート１０が取り付けられており、各色のヘッドホルダ２１−２４が保持されている。各ヘッドホルダ２１−２４には、各ＬＥＤヘッド部１１−１４が取り付けられていて、ＬＥＤヘッド部からＬＥＤを照射して感光ドラムに静電潜像を形成する。
【００２９】
図２は、図１に示すＬＥＤカラープリンタのトップカバーを開けた状態を示す。図２のように、トップカバー９を矢印Ｂの方向に開けると、インナプレート１０によって固定された４本のヘッドホルダ２０と、ヘッドホルダ２０に取り付けられたＬＥＤヘッドが、トップカバー９とインナプレート１０の回転軸を中心にして回転移動して退避するので、手を入れる空間ができ、ＩＤユニット４−７の取り出し易くなる。
【００３０】
図３は、ＩＤユニットＫ４のみが装着された状態を示す側面図である。図４は、図２の矢印Ｃの方向からみたヘッドカバーを示す外観図である。図５は、図４のＡ−Ａ線に沿ってみた断面図である。
【００３１】
本発明のカラー印刷装置は、モノクロ用のＩＤユニットのみを装着して印刷動作をすることが可能であるが、図３では、カラーのＩＤユニット５−７用のスペースには、ＩＤユニット５−７が装着されていない状態を示す。図４に示すように、各ＬＥＤヘッド１１−１４は、対応のカラー用のＩＤユニットに設けられ、露光装置として機能する。図５に示すように、ＬＥＤヘッドには、ラッチ部６０１ａを介して、ヘッドカバー６０１が取り付けられている。また、長く延出したセンサカバー６０１ｂ（図６）は、装置本体に取り付けられた、対応するＩＤユニットセンサの光出射面を覆うようにして、ＩＤユニットセンサ５０２の光出射面に対向する。ＩＤユニットセンサ５０１は、ＩＤユニットに向けて光を出射して、反射光を受信することにより、ＩＤユニットが装着されていることを検知する。
【００３２】
図６は、ヘッドカバー６０１に装着されたＬＥＤヘッド部Ｙ１２と、ＩＤユニットＫ４との関係を示す。また、図６のように、ヘッドカバー６０１が、ＬＥＤヘッド部Ｙ１２の光の出射部を覆っていて、印刷動作中などに発生しやすい浮遊トナー５６２、紙粉や埃から光学部を保護する。したがって、紙粉や埃はカバー６０１の外表面に付着するだけである。ヘッドカバー６０１は、図５のように、ラッチ部６０１ａを操作して容易に取り外すことが可能であり、例えば、ＹのＩＤユニット５を装着する場合は、Ｙの位置に取り付けられているヘッドカバー６０１を外して、ＩＤユニットＹ５を装着すれば、ＫとＹとの２色による印刷が可能となる。ＭやＣのＩＤユニット６、７を装着する場合も同様である。また、センサカバー６０１ｂは、反射型のＩＤユニットセンサ５０２の表面を覆っているので、センサの光学部を紙粉や埃から保護することができる。
【００３３】
図７は、ＬＥＤヘッド部の断面図である。ＬＥＤヘッドは、ＬＥＤアレイチップ３０１と、ＳＬＡ（収束性ロッドレンズアレイ）３０２と、ＳＬＡホルダ３０３とからなる。ＬＥＤアレイチップ３０１は、基板３０４に搭載され、ＳＬＡ３０２は、ＳＬＡホルダ３０３によって保持されている。ＳＬＡホルダ３０３は、基板３０４と、ベース３０５と、ＳＬＡ３０２とを保持し、感光ドラム３０６の表面に対して正確に位置決めをする。ＬＥＤアレイチップ３０１から発光された干渉性の高い光（以下コヒーレント光と呼ぶ）は、ＳＬＡ３０２により、感光ドラム３０６上で収束されて、感光ドラム上に静電潜像を形成する。
【００３４】
図８は実施の形態１の制御ブロックを示す。以下、図８を参照して説明する。図８において、印刷制御部１００は、マイクロプロセッサ、ＲＯＭ、ＲＡＭ、入出力ポート及びタイマ等から構成され、上位装置から印刷データ及び制御コマンドを受信し、プリンタ部の動作全体をシーケンス制御して印刷動作を行う。Ｉ／Ｆ制御部１１０は、上位装置へプリンタ情報を送信するとともに、上位装置から受信したコマンドを解析し、上位装置から受信したデータを処理する。
【００３５】
受信メモリ１２０は、上位装置から受信したデータをＩ／Ｆ制御部１１０の制御にしたがって、色毎に格納する。操作部１０１は、プリンタの状態を表示するためのＬＥＤと、操作者が指令をプリンタへ入力するためのスイッチを備える。センサ群１０２は、印刷媒体の搬送位置を検出する複数のセンサ、装置内の温度や湿度を検出するセンサ、濃度測定用のセンサなどからなり、各センサの出力は印刷制御部１００へ入力される。
【００３６】
画像編集メモリ１３０は、受信メモリ１２０に一時的に格納された印刷データを受け取り、編集処理された画像データを格納する。印刷制御部１００は、画像編集メモリ１３０に格納された画像データを、印刷ヘッド１５１−１５４へ送信する。帯電電圧制御部１４０は、印刷制御部１００の指令に従って、各帯電器に電圧を印加して、対応する感光ドラムの表面を帯電させるための制御を行う。帯電制御部１４０は、Ｋ帯電電圧制御部、Ｙ帯電電圧制御部、Ｍ帯電電圧制御部及びＣ帯電電圧制御部を有しており、それぞれ、Ｋ帯電器１４１、Ｙ帯電器１４２、Ｍ帯電器１４３及びＣ帯電器１４４への印加電圧を制御する。
【００３７】
ヘッド制御部１５０は、Ｋヘッド制御部、Ｙヘッド制御部、Ｍヘッド制御部及びＣヘッド制御部を有する。ヘッド制御部１５０は、対応するＫヘッド１５１、Ｙヘッド１５２、Ｍヘッド１５３及びＣヘッド１５４へ、画像データを所定のタイミングで送信する。各ヘッドは、画像データ編集メモリ１３０に格納された画像データに従って、対応する感光ドラム表面に光を照射して静電潜像を形成する。
【００３８】
現像電圧制御部１６０は、Ｋ現像電圧制御部、Ｙ現像電圧制御部、Ｍ現像電圧制御部及びＣ現像電圧制御部を有しており、各現像電圧制御部は、Ｋ現像器１６１、Ｙ現像器１６２、Ｍ現像器１６３及びＣ現像器１６４への印加電圧を制御する。現像電圧制御部１６０は、各現像器に対し印加される電圧を制御して、対応する感光ドラムの表面に形成された静電潜像にトナーを付着させて、トナー像を形成する。
【００３９】
転写電圧制御部１７０は、Ｋ転写電圧制御部、Ｙ転写電圧制御部、Ｍ転写電圧制御部及びＣ転写電圧制御部を有しており、各転写電圧制御部は、Ｋ転写器１７１、Ｙ転写器１７２、Ｍ転写器１７３及びＣ転写器１７４への印加電圧を制御する。印刷制御部１００の指令に従い、転写制御部１７０は、用紙が各転写器を通過する際に、各々の現像器で形成されたトナー像を、印刷媒体に順次転写する。
【００４０】
モータ制御部１８０は、Ｋモータ制御部、Ｙモータ制御部、Ｍモータ制御部及びＣモータ制御部をそれぞれ駆動し、各感光ドラム、帯電器及び現像器を駆動するためのＫモータ１８１、Ｙモータ１８２、Ｍモータ１８３及びＣモータ１８４を駆動する。
【００４１】
定着制御部１９０は、印刷制御部の指令により、定着器１９１に内蔵されたヒータの印加電圧を制御して、印刷媒体に転写されたトナー像を定着する。また、サーミスタ１９２は、定着器１９の温度を測定する。定着制御部１９０は、サーミスタ１９２から、温度の検出値を受け取り、ヒータのオン／オフを制御する。定着器が所定の温度まで上昇すると、定着制御部１９０は、定着器モータ１９３を制御して、定着器を回転させ、定着動作を開始する。
【００４２】
搬送モータ制御部２００は、搬送モータ２０５を制御して、印刷媒体を搬送するための搬送ベルト３を駆動する。
【００４３】
次に、上記のように構成されたプリンタの概略動作について説明する。印刷制御部１００は、Ｉ／Ｆ制御部１１０を介して、上位装置から各種の制御コマンドや印刷データ等を受信する。上位装置から印刷指令を受けると、まず、定着制御部１９０に指令を出し、定着器１９１が動作可能な所定の温度範囲にあるかどうかをサーミスタ１９２により検出する。検出温度が前記温度範囲の下限値より下にあれば、ヒータをオンして、前記温度範囲に入るまで定着器１９１を加熱する。定着器１９１が所定の温度まで上昇したとき、定着制御部１９０は定着器モータ１９３に指示を出力し、定着モータ１９３を駆動して定着器１９１を回転させる。
【００４４】
次に、印刷制御部１００は、モータ制御部１８０を介して、各感光ドラム、帯電器及び現像器用モータを駆動する。また、同時に、帯電制御部１４０、現像電圧制御部１６０及び転写電圧制御部１７０に指令を出し、各々の色に対応する帯電器、現像器及び転写器に電圧を印加する。印刷制御部１００は、図示しない用紙カセットに収容されている印刷媒体を、用紙材料センサ及び用紙サイズセンサを介して検出した後、印刷媒体の搬送を開始する。ここで、印刷媒体搬送モータ２０５は、双方向に駆動することが可能であり、最初に逆方向に駆動することによって、印刷媒体は用紙カセットから取り出され、用紙吸入口センサに検出されるまで、設定された送り量だけ送り出される。続いて、印刷媒体搬送モータを正方向に駆動することによって、印刷媒体はプリンタの印刷機構内に送られる。
【００４５】
印刷制御部１００は、印刷媒体が印刷可能な位置に到達した時点でタイミング信号を送り、画像データ編集メモリ１３０からイメージデータを読み出してヘッド制御部１５０に送る。そして、ヘッド制御部１５０は、１ライン分のイメージデータを受けとった時点で、露光手段としてのＬＥＤヘッドにラッチ信号を送り、イメージデータをＬＥＤヘッドに保持させる。また、ヘッド制御部１５０は、次のタイミング信号を受ける前に、ＬＥＤヘッドに印刷駆動信号ＳＴＢを送る。その結果、ＬＥＤヘッドは、保持されたイメージデータにしたがって、感光ドラム上に、ライン毎に静電潜像の形成を開始する。
【００４６】
すなわち、ＬＥＤヘッドは、マイナスの電位に帯電させられた感光体ドラムを照射し、感光体ドラムの表面に、電位の上昇した多数のドットを形成する。これらドットが全体として、静電潜像を形成する。マイナスの電位に帯電したトナーが、クーロン力によって、各ドットに吸引され、トナー像を形成する。その後、トナー像は、感光体ドラムと転写器との間に形成される転写部へ送られる。
【００４７】
一方、印刷制御部１００は、転写電圧制御部１７０に指示を出し、転写器に正の転写用高圧を印加する。その結果、転写器は転写部を通過する印刷媒体にトナー像を転写する。そして、転写されたトナー像を載せた印刷媒体は定着器へ送られ、トナー像は、定着器１９１の熱によって印刷媒体に定着される。定着されたトナーを有する印刷媒体は、更に進行し、プリンタの印刷機構から用紙排出口センサを通り、プリンタの外部に排出される。印刷が終了し、印刷媒体用紙排出口センサを通過すると、帯電器、現像器及び転写器への電圧の印加を終了し、同時に各モータの動作を停止させる。以降、印刷は媒体の各頁について、前記動作を繰り返す。
【００４８】
実施の形態１によれば、いずれかのＩＤユニットが装着されない場合においても、ＬＥＤヘッドに、ＩＤユニットセンサを覆うようにして、ＩＤユニットセンサに対向する部分を有するヘッドカバーを取り付ければ、制御部に特別な条件を付加しなくても、擬似的にＩＤユニットが装着されているものと認識させ、モノクロのような単色、又は多色の印刷が可能となる。また、ＬＥＤヘッド部や光学センサの等の光学部を保護することができる。
【００４９】
例えば、コヒレントな光を用いたレーザ方式のカラープリンタは、光を照射して静電潜像を形成する光学部を有し、すべてのＩＤユニットを装着しなくても、印刷が可能である。このような構成の画像形成装置にも本実施の形態１が適用できる。
【００５０】
実施の形態２
図９は、実施の形態２の装置を示す側面図である。装置本体には各ＩＤユニットを検出するＩＤユニットセンサ５０１−５０４に加え、各ヘッドカバー６１１を検出するための反射型ヘッドのカバーセンサ５１１−５１４が取り付けられている。ヘッドのカバーセンサの正面にある前記インナプレート１０には、前記ヘッドのカバーセンサからの出射光が遮られずに、ヘッドカバーへ到達できるように穴１０ａが設けられている。前記ヘッドカバー６１１は、各カラーのＬＥＤへッド１２−１４に取り付けられ、前記孔１０ａを介して、ＬＥＤヘッドの光の出射面に対向する。ヘッドカバー６１１は、実施の形態１のヘッドカバー６０１と同様のラッチ部を有し、取り外しが容易になっている。
【００５１】
図１０は、ヘッドカバーを示す外観図である。図１０からわかるように、ヘッドカバー６１１は、長く伸びたセンサカバー６０１ｂを有し、このセンサーカバー６０１ｂが、装置本体に取り付けられたＩＤユニットセンサ５０２−５０４に対向するような形状になっている。また、新たにセンサカバー部６０１ｄを設け、Ｙ、Ｍ及びＣのヘッドのカバーセンサ５１２−５１４に対向するような形状になっている。
【００５２】
図１１は、実施の形態２の制御部を示すブロック図である。図１１を参照してこの制御部を説明する。各色に対応したセンサ群８１１−８１４は、各色のＩＤユニットを検出するＩＤユニットセンサ５０１、５０２、５０３、５０４と、ヘッドのカバーセンサ５１１、５１２、５１３、５１４から構成される。動作モード設定部８０４は印刷動作を禁止する動作モードの他に、印刷動作モードとして、単色印刷時の設定モードと、複数色印刷モードと、フルカラー印刷時の設定モードとを持っている。
【００５３】
制御部８０１は、センサ群８１１、８１２、８１３、８１４から検出信号を受信し、検出結果格納部８０１ｂに記憶する。比較部８０１ａは、動作モード設定部で設定されたモード設定と、検出結果格納部８０１ｂに格納された検出信号とを比較する。少なくとも１つのセンサ群が、ＩＤユニットとヘッドのセンサカバーとのいずれも検出していなければ、制御部８０１は、印刷動作を禁止する命令を動作モード設定部８０４に出力するとともに、表示部８０２に印刷動作を禁止する表示を行うように指令する。
【００５４】
次に、いずれのセンサ群も、ＩＤユニットを検出し、ヘッドのセンサカバーを検出しない場合、制御部８０１は、すべてのＩＤユニットが正しく装着されているものと認識して、カラー印刷動作を行う指令を動作モード設定部８０４へ出力するとともに、表示部８０２のカラー印刷動作を行っていることを表示する。
【００５５】
少なくとも１つのセンサ群が、ＩＤユニットを検出し、ヘッドのカバーセンサを検出した場合は、制御部８０１は、単色のＩＤユニット、又は全数ではない複数のＩＤユニットが正しく装着されていることを表示部８０２に表示し、印刷動作を行うかどうかをユーザに問い合わせる。
【００５６】
表示部８０２の表示をみて、ユーザは印刷動作を行うかどうかを判断する。印刷動作を禁止する指令が表示部に表示されたら、ユーザは、操作部８０３を介して、印刷動作を禁止する指令を入力する。
【００５７】
操作部８０３を介して印刷動作を行う指令を受信すると、制御部は、印刷動作を行う指令を動作モード設定部８０４に出力する。
【００５８】
前記制御部８０１は、センサ群の検出結果より、単色設定モードと、複数色設定モード、及びフルカラー設定モードのいずれにおいて印刷を行うかを判断し、判断結果にあった制御を、動作モード設定部８０４に指令する。。
【００５９】
制御部８０１は、センサ群８１１−８１４によって、どのＩＤユニットが装着されているかを判断することができる。動作モード設定部８０４によって初期設定された動作モード、あるいはユーザが設定した動作モードに対応するＩＤユニットが装着されていない場合は、表示部８０２に装着状態が異なることを表示して、印刷動作をするべきかどうかをユーザに問い合わせる。ユーザは、操作部８０３を介して、動作モードを入力する。すなわち、ユーザは、検出されたＩＤユニットに合わせて動作モードを再設定するか、又は再設定しない場合は動作禁止を入力する。
【００６０】
図１２は、本発明に係わるプリンタの動作モードの設定を説明するフローチャートである。ステップＳ１において、いずれのＩＤユニットが装着されているかを検出するサブルーチンを実行する。このサブルーチンは図１２を参照して後述する。ステップＳ２において、ユーザが操作部を介して入力した動作モードが、ステップＳ１で設定された印刷モードと一致するかどうかを判断する。ステップＳ２における判断がＮＯなら、ステップＳ３において、表示装置に警告を表示する。ステップＳ４において、ユーザにより動作モードが変更されたかどうかを判断する。ユーザが、変更しないことを選択すれば、ステップＳ６へ進み、プリンタの動作を禁止し、変更することを選択すれば、ステップＳ５に進み、ユーザは、動作モードを再設定する。ステップＳ２において、ＹＥＳなら、初期設定プログラムは終了する。
【００６１】
本発明のプリンタは、ユーザが動作モードを入力すると、各ＩＤユニットが装着されているかどうかを確認して、装着されている各ＩＤユニットに対応した印刷モードを決定する。すべてのＩＤユニットが装着されていれば、フルカラーモードを設定する。図１３と図１４は、図１２に示すステップＳ１のサブルーチンの詳細を示す。図１３と図１４を参照して、以下に詳述する。
【００６２】
図１３のステップＳ１０１において、Ｋのユニットセンサ５０１がＯＮであるかどうかを判断する。ステップＳ１０１においてＮＯなら、ステップＳ６へ進み、プリンタの動作を禁止する。ステップＳ１０１においてＹＥＳなら、ステップＳ１０２へ進み、Ｋのヘッドのカバーセンサ５１１がＯＮであるかどうかを判断する。ステップＳ１０２において、ＹＥＳなら、図１４のステップＳ125へ進む。ステップＳ１０２において、ＮＯなら、ＫのＩＤユニット５０１が正しく装着されていることになる。
【００６３】
ステップＳ１０３において、Ｙのユニットセンサ５０２がＯＮであるかどうかを判断する。ステップＳ１０3においてＮＯなら、ステップＳ６へ進み、プリンタの動作を禁止する。ステップＳ１０３においてＹＥＳなら、ステップＳ１０４へ進み、Ｙのヘッドのカバーセンサ５１２がＯＮであるかどうかを判断する。ステップＳ１０４において、ＮＯなら、ＹのＩＤユニットが正しく装着されていることになり、ステップＳ１０５へ進む。
【００６４】
ステップＳ１０５において、Ｍのユニットセンサ５０３がＯＮであるかどうかを判断する。ステップＳ１０５においてＮＯなら、ステップＳ６へ進み、プリンタの動作を禁止する。ステップＳ１０５においてＹＥＳなら、ステップＳ１０６へ進み、Ｍのヘッドのカバーセンサ５１３がＯＮであるかどうかを判断する。ステップＳ１０６においてＮＯなら、ＭのＩＤユニットが正しく装着されていることになり、ステップＳ１０7へ進む。ステップＳ１０６においてＹＥＳなら、ステップＳ１11へ進む。
【００６５】
ステップＳ１０７において、Ｃのユニットセンサ５０４がＯＮであるかどうかを判断する。ステップＳ１０7においてＮＯなら、ステップＳ６へ進み、プリンタの動作を禁止する。ステップＳ１０７においてＹＥＳなら、ステップＳ１０８へ進み、Ｃのヘッドのカバーセンサ５１４がＯＮであるかどうかを判断する。ステップＳ１０８においてＮＯなら、ＣのＩＤユニットが正しく装着されていることになる。すなわち、すべてのＩＤユニットが装着されていないことになるので、ステップＳ１０９にて、フルカラーモードに設定する。
【００６６】
ステップＳ１０8において、ＹＥＳなら、ステップＳ１１０へ進み、Ｋ、Ｙ、及びＭのＩＤユニットが動作するＫＹＭモードに設定する。
【００６７】
ステップＳ１０６において、ＹＥＳなら、ステップＳ１１１へ進み、ＣのＩＤユニットセンサ５０４がＯＮであるかどうかを判断する。ステップＳ１１１においてＮＯなら、ステップＳ６へ進み、プリンタの動作を禁止する。ステップＳ１１１においてＹＥＳなら、ステップＳ１１２へ進み、Ｃのヘッドのカバーセンサ５１４がＯＮであるかどうかを判断する。ステップＳ１１２においてＮＯなら、ＫＹＣの各ＩＤユニットが正しく装着されていることになるから、ステップＳ１１３へ進み、Ｋ、Ｙ及びＣのＩＤユニットが動作するＫＹＣモードに設定する。ステップＳ１１２においてＹＥＳなら、ステップＳ１１４へ進み、ＫＹモードに設定する。
【００６８】
ステップＳ１０４においてＹＥＳなら、ステップＳ１１５へ進み、Ｍのユニットセンサ５０３がＯＮであるかどうかを判断する。ステップＳ１１５においてＮＯならＳ6へ進み、プリンタの動作を禁止する。ステップＳ１１５においてＹＥＳなら、ステップＳ１１６へ進み、Ｍのヘッドのカバーセンサ５１３がＯＮであるかどうかを判断する。ステップＳ１１６においてＮＯなら、ＭのＩＤユニットが正しく装着されていることになり、ステップＳ１１７へ進み、Ｃのユニットセンサ５０４がＯＮであるかどうかを判断する。ステップＳ１１７においてＮＯならステップＳ６へ進み、プリンタの動作を禁止する。ステップＳ１１７においてＹＥＳなら、ステップＳ１１８へ進み、Ｃのヘッドのカバーセンサ５１４がＯＮであるかどうかを判断する。ステップＳ１１8においてＮＯなら、Ｋ、Ｍ及びＣの各ＩＤユニットが正しく装着されていることになるから、ステップＳ１１９へ進み、Ｋ、Ｍ及びＣのＩＤユニットが動作するＫＭＣモードに設定する。
【００６９】
ステップＳ１１８において、ＹＥＳなら、ＫとＭの各ＩＤユニットのみが正しく装着されていることになる。したがって、ステップＳ１２０へ進み、ＫとＭのＩＤユニットが動作するＫＭモードに設定する。
【００７０】
ステップＳ１１6においてＹＥＳなら、ステップＳ１２１へ進み、Ｃのユニットセンサ５０４がＯＮであるかどうかを判断する。ステップＳ１２１においてＮＯなら、ステップＳ６へ進み、プリンタの動作を禁止する。ステップＳ１２１においてＹＥＳなら、ステップＳ１２２へ進み、Ｃのヘッドのカバーセンサ５１４がＯＮであるかどうかを判断する。ステップＳ１２２でＹＥＳなら、ステップＳ１２４へ進み、ＫのＩＤユニットのみが動作するＫモードに設定する。ステップＳ１２２でＮＯなら、ＫとＣのＩＤユニットのみが正しく装着されていることになるから、ステップＳ１２３へ進み、ＫとＣのＩＤユニットが動作するＫＣモードに設定する。
【００７１】
ステップＳ１０2において、ＹＥＳなら、図１４のステップＳ１２５へ進む。図１４のステップＳ１２５において、Ｙのユニットセンサ５０２がＯＮであるかどうかを判断する。ステップＳ１２５においてＮＯなら、図２のステップＳ６へ進み、プリンタの動作を禁止する。ステップＳ１２５においてＹＥＳなら、ステップＳ１２６へ進み、Ｙのヘッドのカバーセンサ５１２がＯＮであるかどうかを判断し、ＮＯなら、ＹのＩＤユニットが正しく装着されていることになる。
【００７２】
ステップＳ１２6においてＮＯなら、ステップＳ１２７へ進み、Ｍのユニットセンサ５０３がＯＮであるかどうかを判断する。ステップＳ１２7においてＮＯなら、ステップＳ６へ進み、プリンタの動作を禁止する。ステップＳ１２7においてＹＥＳなら、ステップＳ１２８へ進み、Ｍのヘッドのカバーセンサ５１３がＯＮであるかどうかを判断する。ステップＳ１２8においてＮＯなら、ＭのＩＤユニットが正しく装着されていることになり、ステップＳ129へ進む。
【００７３】
ステップＳ１２９において、Ｃのユニットセンサ５０４がＯＮであるかどうかを判断する。ステップＳ１２９において、ＮＯなら、図２のステップＳ６へ進み、プリンタの動作を禁止する。ステップＳ１２９においてＹＥＳなら、ステップＳ１３０へ進み、Ｃのヘッドのカバーセンサ５１４がＯＮであるかどうかを判断する。ステップＳ１３０においてＮＯなら、ＣのＩＤユニットが正しく装着されていることになるから、ステップＳ１３１へ進み、Ｙ、Ｍ及びＣのＩＤユニットが動作するＹＭＣモードに設定する。
【００７４】
ステップＳ１３０において、ＹＥＳなら、ステップＳ１３２へ進み、ＹとＭのＩＤユニットが動作するＹＭモードに設定する。
【００７５】
ステップＳ１２８において、ＹＥＳなら、ステップＳ１３３へ進み、Ｃのユニットセンサ５０４がＯＮであるかどうかを判断する。ステップＳ１３３において、ＮＯなら、Ｓ６へ進み、動作を禁止する。ステップＳ１３３においてＹＥＳなら、ステップＳ１３４へ進み、ＣのヘッドのカバーセンサがＯＮであるかどうかを判断する。ステップＳ１３４においてＮＯなら、ＹとＣのＩＤユニットのみが正しく装着されていることになるから、ステップＳ１３５において、ＹとＣのＩＤユニットが動作するＹＣモードに設定する。ステップＳ１３４においてＹＥＳなら、ステップＳ１３６へ進み、ＹのＩＤユニットが動作するＹモードに設定する。
【００７６】
ステップＳ１２6において、ＹＥＳなら、ステップＳ１３７において、Ｍのユニットセンサ５０３がＯＮであるかどうかを判断する。ステップＳ１３７においてＮＯなら、Ｓ6へ進み、動作を禁止する。ステップＳ１３７においてＹＥＳなら、ステップＳ１３８へ進み、Ｍのヘッドのカバーセンサ５１３がＯＮであるかどうかを判断する。ステップＳ１３８において、ＮＯなら、ステップＳ１３９へ進み、Ｃのヘッドのカバーセンサ５１４がＯＮであるかどうかを判断する。ステップＳ１３9においてＮＯなら、Ｓ6へ進み、動作を禁止する。ステップＳ１３９においてＹＥＳなら、ステップＳ１４０へ進み、Ｃのヘッドのカバーセンサ５１４がＯＮであるかどうかを判断する。ステップＳ１４０においてＮＯなら、ＭとＣのＩＤユニットが正しく装着されていることになるから、ステップＳ１４１において、ＭとＣのＩＤユニットのみが動作するＭＣモードに設定する。ステップＳ１４０において、ＹＥＳなら、ステップＳ１４２において、ＭのＩＤユニットのみが動作するＭモードに設定する。
【００７７】
ステップＳ１３8においてＹＥＳなら、ステップＳ１４３へ進み、Ｃのユニットセンサ５０４がＯＮであるかどうかを判断する。ステップＳ１４３においてＮＯなら、ステップＳ6へ進み、動作を禁止する。ステップＳ１４３で、ＹＥＳなら、ステップＳ１４４へ進み、Ｃのヘッドのカバーセンサ５１４がＯＮであるかどうかを判断する。ステップＳ１４４で、ＮＯなら、ＣのＩＤユニットが正しく装着されていることになるから、ＣのＩＤユニットのみが動作するＣモードに設定する。ステップＳ１４４においてＹＥＳなら、すべてのＩＤユニットが装着されていないことになるので、ステップＳ６へ進み、動作を禁止する。
【００７８】
図１５は、ヘッドカバー６０１が装着されたＬＥＤヘッドＹ１２と、ＩＤユニットＫ４との関係を示す。ヘッドカバー６１１はＬＥＤヘッドＹ１２を覆っているため、印刷動作などで発生しやすい浮遊トナー５６２、紙粉及び埃はヘッドカバー６１１の表面に付着するだけなので、重要な光学部を保護することができる。また、同時に、センサカバー６１１ｂとヘッドカバー６１１ｃは、反射型のＩＤユニットセンサとヘッドのカバーセンサとの表面に対向しているので、ＬＥＤヘッドを、浮遊トナー５６２、紙粉及び埃から保護できる。ヘッドカバー６１１は、前述のように、ラッチを操作して容易に取り外すことが可能であり、例えば、Ｙの位置に取り付けられているヘッドカバーを外してからＹのＩＤユニットを装着すれば、装着されたＹのＩＤユニットが検出されるので、ＫとＹの２色でも印刷が可能となる。ＭやＣのＩＤユニットを装着する場合も同様である。
【００７９】
また、ＩＤユニットを追加する場合は、ユーザは、動作モードの設定も新たにしなおすか、表示部の指示に従って印刷動作を実行すべきかどうかを判断する。
【００８０】
実施の形態２によれば、各センサの出力結果から、ヘッドカバーとＩＤユニットの装着を個別にを判定できるようにしたので、センサの検出出力に従って、印刷動作を禁止したり、単色印刷時のモードと全カラー印刷時のモードのいずれかに印刷動作を切り換えることが可能となる。同時にＬＥＤヘッド部や光学センサのような光学部を保護することができる。
【００８１】
なお、実施の形態２では、ＬＥＤ方式のカラープリンタについて説明したが、この方式に限らない。例えば、コヒレントな光を用いたレーザ方式のカラープリンタは、光を照射して静電潜像を形成する光学部を有し、すべてのＩＤユニットを装着しなくても、印刷が可能なである。このような構成の画像形成装置にも本実施の形態２が適用できる。
【００８２】
実施の形態３
全てのＩＤユニットを装着した場合は、モノクロ印刷とカラー印刷では、互いに異なる印刷速度で印刷することができる。モノクロ印刷では、１色のトナー層が用紙上に転写されるが、カラー印刷では、３色のトナー層、すなわち、３つのトナー層が転写される。モノクロ印刷とカラー印刷では、トナー層の厚さが異なるので、トナーを確実に溶融及び定着させるために、定着器がトナー層に与える熱量を変更する必要がある。
【００８３】
前記実施の形態２の場合は、装着されているＩＤユニットの数には関係なく、定着時に一律の熱量をトナー層へ供給する。したがって、ホットオフセットと呼ばれる印刷不良を引起してしまうことがある。実施の形態３はこのような不具合を解決するものである。
【００８４】
図１６は、実施の形態３に係わる制御ブロックの要部を示す。装置の全体の構成は実施の形態２と同じである。実施の形態２の構成に加えて、図１６の制御部８０１は、１色のＩＤユニットが装着された場合の印刷速度をＶ１、２色のＩＤユニットが装着された場合の印刷速度をＶ２、３色のＩＤユニットが装着された場合の印刷速度をＶ３、すべてのＩＤユニットが装着された場合の印刷速度をＶ４とすると、Ｖ１＞Ｖ２＞Ｖ３＞Ｖ４となる速度テーブル８０１ｃを備えている。例えば、Ｖ１は単色印刷時の定着温度に合わせた印刷速度であり、Ｖ４はフルカラー印刷時の定着温度に合わせた印刷速度である。動作モード設定部８０４は、印刷動作モードに加え、装着されたＩＤユニットの数に応じて単色動作モード、２色動作モード、３色動作モード、フルカラー動作モードのいずれかに、動作モードを切り換えるものとする。
【００８５】
図３に示すＫのＩＤユニットが装着された状態に加えて、更に、Ｙの位置にあるヘッドカバー６１１を外して、新たにＹのＩＤユニットを装着した場合を説明する。
【００８６】
図１６において、Ｋのセンサ群８１１とＹのセンサ群８１２からはＩＤユニットの検出信号が、制御部８０１へ出力される。また、Ｍのセンサ群８１３とＣのセンサ群８１４からは、ＩＤユニットが未装着であり、ヘッドカバーが装着されていることを示す検出信号が、制御部８０１へ出力される。動作モード設定部８０４は、ユーザによって、予め、ＫのＩＤユニットのみの動作モードに設定されているとする。
【００８７】
制御部８０１は、センサ群８１１、８１２、８１３、８１４から検出信号を受信し、検出結果格納部８０１ｂに記憶する。比較部８０１ａは、動作モード設定部で設定されたモード設定と、検出結果格納部８０１ｂに格納された検出信号とを比較する。この場合、両者は異なっているので、表示部８０２に表示する。ユーザは、ＫとＹの２色印刷を指令するため、操作部８０３を介して、印刷動作を指令すると、制御部８０１は速度テーブル８０１ｃをＶ１から、Ｖ１よりも遅いＶ２に切換えて、動作モード設定部８０４に印刷動作を指令する。他にＭのＩＤユニットを装着して３色の印刷動作を許可した場合や、ＭとＣのＩＤユニットを装着してフルカラーの印刷動作を装着して印刷動作を許可した場合や、ＭとＣのＩＤユニットを装着してフルカラーの印刷動作を許可した場合も、同様に、制御部８０１は、速度をＶ３から、Ｖ３よりも遅いＶ４に切り替える。
【００８８】
図１７は、装着されたＩＤユニットの数と印刷速度との関係を示す表であり、図１６の制御ブロック中の速度設定部８０１ａに記憶されている。本発明のプリンタは、装着されるＩＤユニットの数に応じて印刷速度を切り換えている。すなわち、ＩＤユニットの装着数が１、２、３、４と増えると、印刷速度をＶ１、Ｖ２、Ｖ３、Ｖ４と切り換える。ここで、印刷速度は、Ｖ１＞Ｖ２＞Ｖ３＞Ｖ４の関係にある。また、印刷動作中は、ヘッドカバー６１１が取り付けられているので、ＬＥＤヘッドのみならず、ＩＤユニットセンサやヘッドのカバーセンサを浮遊トナー、紙粉及び埃から保護することができる。
【００８９】
実施の形態３によれば、装着されたＩＤユニットの数に応じて印刷速度を変えるので、ユーザは必要以上に待たされずに済む。
【００９０】
なお、実施の形態３では、ＬＥＤ方式のカラーフリンタについて説明したが、この方式に限らず、照射する光学部を有し、全部のＩＤユニットを装着しなくても、装着されたＩＤユニットだけで対応する色の印刷が可能なカラープリンタ（例えば、コヒーレントな光を用いたレーザ方式）に適用できる。また、制御部の速度テーブルは上記Ｖ１＞Ｖ２＞Ｖ３＞Ｖ４の関係に限らず、Ｖ１＞Ｖ２≧Ｖ３≧Ｖ４、Ｖ１≧Ｖ２＞Ｖ３≧Ｖ４、Ｖ１≧Ｖ２≧Ｖ３＞Ｖ４といった速度テーブルや、Ｖ１＞Ｖ２＞Ｖ３≧Ｖ４、Ｖ１＞Ｖ２≧Ｖ３＞Ｖ４という速度テーブル等、装着されるＩＤユニットの数に対応した各速度テーブルを有していればよい。本実施の形態３は、装着するＩＤユニットの数に対応した異なる印刷速度で動作する装置に適用できる。
【図面の簡単な説明】
【００９１】
【図１】本発明に係るＬＥＤカラープリンタの概略図である。
【図２】図１に示すＬＥＤカラープリンタのトップカバーを開けた状態を示す。
【図３】ＫのＩＤユニットのみが装着された状態を示す側面図である。
【図４】ヘッドカバーを示す外観図である。
【図５】図４のＡ−Ａ線に沿ってみた断面図である。
【図６】ヘッドカバーに装着されたＹのＬＥＤヘッド部と、ＫのＩＤユニットとの関係示す本発明に係わる別の回転体とトナー供給ローラを示す。
【図７】ＬＥＤヘッド部の断面図である。
【図８】実施の形態１の制御部を示すブロック図である。
【図９】実施の形態２の装置を示す側面図である。
【図１０】ヘッドカバーを示す外観図である。
【図１１】実施の形態２の制御部を示すブロック図である。
【図１２】本発明に係わるプリンタの動作モードの設定を説明するフローチャートである。
【図１３】図１２のステップＳ１のサブルーチンの詳細を示す。
【図１４】図１２のステップＳ１のサブルーチンの詳細を示す。
【図１５】ヘッドカバーが装着されたＬＥＤヘッドと、ＩＤユニットとの関係を示す。
【図１６】実施の形態３の制御部を示すブロックである。
【図１７】実施の形態３に係わる、装着されたＩＤユニットの数と印刷速度との関係を示す速度テーブルを示す。
【符号の説明】
【００９２】
１９  ＬＥＤヘッド（露光部）、
６０１  保護部材、
５０１、５０２、５０３、５０４  ＩＤユニットセンサ（画像形成ユニット検出手段）、
６０１  ヘッドカバー、
６０１ｂ  センサカバー、
８０１  制御部（判定部、装着状態判断部）、
８０１ａ  比較部、
８０１ｃ  速度テーブル、
８０４  動作モード設定部、
８０２  表示部、
８０３  操作部、
８１１、８１２、８１３、８１４  センサ群。
【図１】
2005140944.tif 000003
【図２】
2005140944.tif 000004
【図３】
2005140944.tif 000005
【図４】
2005140944.tif 000006
【図５】
2005140944.tif 000007
【図６】
2005140944.tif 000008
【図７】
2005140944.tif 000009
【図８】
2005140944.tif 000010
【図９】
2005140944.tif 000011
【図１０】
2005140944.tif 000012
【図１１】
2005140944.tif 000013
【図１２】
2005140944.tif 000014
【図１３】
2005140944.tif 000015
【図１４】
2005140944.tif 000016
【図１５】
2005140944.tif 000017
【図１６】
2005140944.tif 000018
【図１７】
2005140944.tif 000019